【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
乗物に搭載された燃料を分離する方法であって：
乗物の搭載燃料分離組立体において、入力燃料流と流体溶剤とを混合するステップと；
前記入力燃料流と前記流体溶剤との混合物を、第１の自己点火特性値によって規定された前記入力燃料流の第１の部分と前記流体溶剤とを含む第１の液体燃料流と、前記第１の自己点火特性値とは異なる第２の自己点火特性値によって規定された前記入力燃料流の第２の部分を含む第２の液体燃料流と、に分離するステップと；
前記第１の液体燃料流を、前記流体溶剤と、前記入力燃料流の前記第１の部分とに分離するステップと；
前記第１の液体燃料流及び前記入力燃料流の前記第１の部分を前記搭載燃料分離組立体の第１の熱交換器に導くステップと；
前記入力燃料流の前記第１の部分から分離された前記流体溶剤の流れからの熱によって、前記第１の熱交換器において前記第１の液体燃料流を加熱するステップと；
前記加熱された第１の液体燃料流を前記第１の熱交換器から前記搭載燃料分離組立体の第２の熱交換器に導くステップと；
前記入力燃料流の前記第１の部分からの熱によって、前記第２の熱交換器において前記加熱された第１の液体燃料流を加熱するステップと；
前記加熱された第１の液体燃料流を前記第２の熱交換器から前記搭載燃料分離組立体の第３の熱交換器に導くステップと；
エンジン排気流からの熱によって、前記第３の熱交換器において前記加熱された第１の液体燃料流を加熱するステップと；
前記加熱された第１の液体燃料流が、前記流体溶剤と前記入力燃料流の前記第１の部分とに分離されるように仕向けるステップと；
前記入力燃料流の前記第１の部分を前記乗物の第１の燃料タンクに導くステップと；
前記入力燃料流の前記第２の部分を前記乗物の第２の燃料タンクに導くステップと；を備える、
方法。
【請求項２】
前記入力燃料流は、芳香族化合物部と含酸素添加剤部とのうちの少なくとも一方を含む、
請求項１に記載の方法。
【請求項３】
前記入力燃料流と前記流体溶剤との前記混合物を、前記第１の液体燃料流と前記第２の液体燃料流とに分離するステップは、前記芳香族化合物部と前記含酸素添加剤部とのうちの少なくとも一方と前記流体溶剤との間の親和性に基づいて、前記入力燃料流の前記第１の部分と前記流体溶剤とを前記第１の液体燃料流に分離するステップを備える、
請求項２に記載の方法。
【請求項４】
前記流体溶剤は、ジメチルスルホキシド、スルホラン、プロピレンカーボネート、エチレングリコール、ジエチレングリコール、トリエチレングリコール、テトラエチレングリコール、Ｎ−ホルミルモルホリン、フラン、テトラヒドロフラン、ピロリジン、ピロール及びチオフェンのうちの少なくとも１つを含む第１の溶剤部を含み、
前記入力燃料流と前記流体溶剤との前記混合物を前記第１の液体燃料流に分離するステップは、前記第１の溶剤部によって、前記入力燃料流の前記芳香族化合物部を前記第１の液体燃料流と前記第２の液体燃料流とに分離するステップを備える、
請求項２に記載の方法。
【請求項５】
前記流体溶剤は、酢酸アミル、ベンジルアルコール、メチルイソブチルケトン及び水のうちの少なくとも１つを含む第２の溶剤部を含み、
前記入力燃料流と前記流体溶剤との前記混合物を前記第１の液体燃料流に分離するステップは、前記第２の溶剤部によって、前記入力燃料流の前記含酸素添加剤部を前記第１の液体燃料流と前記第２の液体燃料流とに分離するステップを備える、
請求項４に記載の方法。
【請求項６】
前記入力燃料流と前記流体溶剤とを混合するステップは、前記搭載燃料分離組立体の液−液抽出装置において前記入力燃料流と前記流体溶剤とを混合するステップを備える、
請求項１に記載の方法。
【請求項７】
前記入力燃料流と前記流体溶剤との前記混合物を前記第１の液体燃料流と前記第２の液体燃料流とに分離するステップは、前記液−液抽出装置において、前記入力燃料流と前記流体溶剤との前記混合物を、前記第１の液体燃料流と前記第２の液体燃料流とに分離するステップを備える、
請求項６に記載の方法。
【請求項８】
前記第１の液体燃料流から前記流体溶剤を分離するステップは、前記流体溶剤と前記第１の液体燃料流との間のそれぞれの沸点の差異に基づいて、前記第１の液体燃料流から前記流体溶剤を分離するステップを備える、
請求項１に記載の方法。
【請求項９】
前記流体溶剤と前記第１の液体燃料流との間のそれぞれの沸点の差異に基づいて、前記第１の液体燃料流から前記流体溶剤を分離するステップは、前記搭載燃料組立体のフラッシュタンク又は蒸留ユニット内で前記第１の液体燃料流から前記流体溶剤を分離するステップを備える、
請求項８に記載の方法。
【請求項１０】
前記第１の液体燃料流から分離した前記流体溶剤の流量を特定するステップと；
前記分離した流体溶剤の流量の減少量を特定するステップと；
前記特定された減少量が閾値を上回ることに基づいて、搭載流体溶剤貯留タンクから前記液―液抽出装置に流体溶剤を案内するステップと；を備える、
請求項６に記載の方法。
【請求項１１】
前記第１の自己点火特性値は、第１のオクタン価（ＯＮ）又は第１のセタン価を有し、
前記第２の自己点火特性値は、第２のＯＮ又は第２のセタン価を有する、
請求項１に記載の方法。
【請求項１２】
入力燃料流と流体溶剤との混合物を、第１の自己点火特性値によって規定された前記入力燃料流の第１の部分と前記流体溶剤とを含む第１の液体燃料流と、前記第１の自己点火特性値とは異なる第２の自己点火特性値によって規定された前記入力燃料流の第２の部分を含む第２の液体燃料流と、に分離するように構成された液−液抽出ユニットと；
前記液−液抽出ユニットに流体接続された分離装置であって、前記第１の液体燃料流を受け容れて、前記第１の液体燃料流を前記流体溶剤と前記入力燃料流の前記第１の部分とに分離するように構成された分離装置と；
前記液−液抽出ユニットからの前記第１の液体燃料流を受け容れて、前記分離装置からの前記流体溶剤によって、前記第１の液体燃料流を加熱するように配置された第１の熱交換器と； 
前記第１の熱交換器からの前記第１の液体燃料流を受け容れて、前記分離装置からの前記入力燃料流の前記第１の部分によって、前記第１の液体燃料流を加熱するように配置された第２の熱交換器と； 
前記第２の熱交換器からの前記第１の液体燃料流を受け容れて、エンジン排気流によって、前記第１の液体燃料流を加熱するように配置された第３の熱交換器と；
前記分離装置からの前記入力燃料流の前記第１の部分を受け入れるように流体接続された第１の燃料タンクと；
前記液−液抽出ユニットからの前記入力燃料流の前記第２の部分を受け入れるように流体接続された第２の燃料タンクと；を備える、
搭載燃料分離システム。
【請求項１３】
前記入力燃料流は、芳香族化合物部と含酸素添加剤部とのうちの少なくとも一方を含む、
請求項１２に記載の搭載燃料分離システム。
【請求項１４】
前記流体溶剤は、ジメチルスルホキシド、スルホラン、プロピレンカーボネート、エチレングリコール、ジエチレングリコール、トリエチレングリコール、テトラエチレングリコール、Ｎ−ホルミルモルホリン、フラン、テトラヒドロフラン、ピロリジン、ピロール及びチオフェンのうちの少なくとも１つを含む第１の溶剤部を含み、かつ、前記液−液抽出ユニットは、さらに、前記第１の溶剤部によって、前記入力燃料流の前記芳香族化合物部を前記第１の液体燃料流に分離するように構成され、
前記流体溶剤は、酢酸アミル、ベンジルアルコール、メチルイソブチルケトン及び水のうちの少なくとも１つを含む第２の溶剤部を含み、かつ、前記液−液抽出ユニットは、さらに、前記第２の溶剤部によって、前記入力燃料流の前記含酸素添加剤部を前記第１の液体燃料流に分離するように構成された、
請求項１３に記載の搭載燃料分離システム。
【請求項１５】
前記液−液抽出ユニットは、前記芳香族化合物部と前記含酸素添加剤部とのうちの少なくとも一方と前記流体溶剤との間の親和性の程度に基づいて、前記入力燃料流の第１の部分及び前記流体溶剤を前記第１の液体燃料流に分離するように構成されている、
請求項１３に記載の搭載燃料分離システム。
【請求項１６】
前記分離装置は、前記流体溶剤と前記第１の液体燃料流との間の各沸点の差異に基づいて、前記第１の液体燃料流から前記流体溶剤を分離するように構成されたフラッシュタンク又は蒸留ユニットを備える、
請求項１２に記載の搭載燃料分離システム。
【請求項１７】
前記第１の自己点火特性値は、第１のオクタン価（ＯＮ）又は第１のセタン価を有し、
前記第２の自己点火特性値は、第２のＯＮ又は第２のセタン価を有する、
請求項１２に記載の搭載燃料分離システム。
【請求項１８】
乗物と；
前記乗物に搭載され、燃料を動力源とする内燃のエンジンと；
搭載燃料分離システムと；を備え、
前記搭載燃料分離システムは、
入力燃料流と流体溶剤との混合物を、第１の自己点火特性値によって規定された前記入力燃料流の第１の部分と前記流体溶剤とを含む第１の液体燃料流と、前記第１の自己点火特性値とは異なる第２の自己点火特性値によって規定された前記入力燃料流の第２の部分を含む第２の液体燃料流と、に分離するように構成された液−液抽出ユニットと；
前記液−液抽出ユニットに流体接続された分離装置であって、前記第１の液体燃料流を受け容れて、前記第１の液体燃料流を前記流体溶剤と前記入力燃料流の前記第１の部分とに分離するように構成された分離装置と；
前記液−液抽出ユニットからの前記第１の液体燃料流を受け容れて、前記分離装置からの前記流体溶剤によって、前記第１の液体燃料流を加熱するように配置された第１の熱交換器と；
前記第１の熱交換器からの前記分離された流体溶剤を受け容れて、前記分離装置からの前記入力燃料流の前記第１の部分によって、前記第１の液体燃料流を加熱するように配置された第２の熱交換器と；
前記第２の熱交換器からの前記第１の液体燃料流を受け容れて、エンジン排気流によって、前記第１の液体燃料流を加熱するように配置された第３熱交換器と；を有し、
さらに、前記分離装置からの前記入力燃料流の前記第１の部分を貯留するように、前記エンジンと前記分離装置との間に流体接続された第１の燃料タンクと；
前記液−液抽出ユニットからの前記入力燃料流の前記第２の部分を貯留するように、前記エンジンと前記液−液抽出ユニットとの間に流体接続された第２の燃料タンクと；を備える、
乗物システム。
【請求項１９】
前記入力燃料流は、芳香族化合物部及び含酸素添加剤部の少なくとも一方を含み、
前記流体溶剤は、ジメチルスルホキシド、スルホラン、プロピレンカーボネート、エチレングリコール、ジエチレングリコール、トリエチレングリコール、テトラエチレングリコール、Ｎ−ホルミルモルホリン、フラン、テトラヒドロフラン、ピロリジン、ピロール及びチオフェンのうちの少なくとも１つを含む第１の溶剤部を含み、かつ、前記液−液抽出ユニットは、さらに、前記第１の溶剤部によって、前記入力燃料流の前記芳香族化合物部を前記第１の液体燃料流に分離するように構成され、
前記流体溶剤は、酢酸アミル、ベンジルアルコール、メチルイソブチルケトン及び水のうちの少なくとも１つを含む第２の溶剤部を含み、かつ、前記液−液抽出ユニットは、さらに、前記第２の溶剤部によって、前記入力燃料流の前記含酸素添加剤部を前記第１の液体燃料流に分離するように構成された、
請求項１８に記載の乗物システム。
【請求項２０】
前記液−液抽出ユニットは、前記芳香族化合物部と前記含酸素添加剤部とのうちの少なくとも一方と前記流体溶剤との間の親和性の程度に基づいて、前記入力燃料流の第１の部分及び前記流体溶剤を前記第１の液体燃料流に分離するように構成されている、
請求項１９に記載の乗物システム。
【請求項２１】
前記分離装置は、前記流体溶剤と前記第１の液体燃料流との間の各沸点の差異に基づいて、前記第１の液体燃料流から前記流体溶剤を分離するように構成されたフラッシュタンク又は蒸留ユニットを備える、
請求項１８に記載の乗物システム。
【請求項２２】
前記流体溶剤を大量に貯留するように構成され、前記液−液抽出ユニットに流体接続された補給溶剤タンクと；
前記補給溶剤タンクから前記液−液抽出ユニットへの前記流体溶剤の流れを制御する、流体溶剤調整弁と通信可能に接続された制御システムと；
を備える補給溶剤システムをさらに備える、
請求項１８に記載の乗物システム。
【請求項２３】
前記制御システムは：
前記分離装置から流出した前記流体溶剤の流量が閾値を下回ることを特定するステップと；
前記特定に基づいて、前記補給溶剤タンクから前記液−液抽出ユニットへと流体溶剤が流れるように、前記流体溶剤調整弁を制御するステップと；を備える操作を実行するように構成されている、
請求項２２に記載の乗物システム。
【請求項２４】
前記第１の自己点火特性値は、第１のオクタン価（ＯＮ）又は第１のセタン価を有し、
前記第２の自己点火特性値は、第２のＯＮ又は第２のセタン価を有する、
請求項１８に記載の乗物システム。